(57)【要約】【課題】  薄肉の発光装置によって発光することにより消費者の目を引き付ける発光プレートを備える展示棚を提供する。【解決手段】  棚形状に組合せることができる複数枚の透明プレートと、この棚を構成する透明プレートに薄肉の発光装置とを設置し、展示棚及び棚板に発光装置を備える。【選択図】  図１
0003102767.tif 000002
【実用新案登録請求の範囲】
【請求項１】
棚形状に組合せることができる複数枚の透明プレートと、該透明プレートに設置される薄肉の発光装置とを備えることを特徴とする発光プレートを備える展示棚。
【請求項２】
前記薄肉の発光装置はＥＬプレートであり、ＥＬプレートを設けない透明プレートに光反射プレートが設置され、透明プレートには互いの透明プレートを組合せるための溝が形成されていることを特徴とする請求項１に記載の発光プレートを備える展示棚。
【請求項３】
複数枚の透明プレートの間にＥＬプレートが設けられることを特徴とする発光プレートを備える展示棚板。
【考案の詳細な説明】
【技術分野】
【０００１】
本考案は、特に薄肉の発光装置によって発光させることにより消費者の目を引き付ける発光プレートを備える展示棚及び棚板に関するものである。
【背景技術】
【０００２】
図６に示すように、商品を展示する従来の展示棚（６０）或いは壁に取り付けられる展示棚板は商品の支持又は収納の効果しかないため、消費者の目を引き付けるために、業者は展示棚（６０）又は棚板に投射灯（６１）を取り付けて、商品をライトアップしている。
【考案の開示】
【考案が解決しようとする課題】
【０００３】
しかしながら、従来の展示棚（６０）又は展示棚板に取り付けられる投射灯（６１）は通常スポットタイプの照明機材であるため、展示品の全体を照らすことができない。更に、上記投射灯（６１）は寿命が短いと共に、発熱しやすく、又、その光は目にとって柔らかくないため、消費者は展示物を見続ける興味を失ってしまうことがあった。
【０００４】
そこで、案出されたのが本考案であって、薄肉の発光装置によって発光することにより消費者の目を長く引き付けることができる発光プレートを備える展示棚及び棚板を提供することを目的としている。
【課題を解決するための手段】
【０００５】
本願の請求項１の考案は、棚形状に組合せることができる複数枚の透明プレートと、透明プレートに設置される薄肉の発光装置とを備えることを特徴とする。
また、本願の請求項２の考案は、前記薄肉の発光装置はＥＬプレートであり、ＥＬプレートを設けない透明プレートに光反射プレートが設置され、透明プレートには互いの透明プレートを組合せるための溝が形成されていることを特徴とする。
更に、本願の請求項３の考案は、複数枚の透明プレートの間にＥＬプレートが設けられることを特徴としており、これらの考案は、発光プレートを備える展示棚及び展示棚板を提供している。
【考案の効果】
【０００６】
本考案は上記の課題を解決するものであり、透明プレートからなる展示棚又は棚板にＥＬプレートのような薄肉の発光装置が設けられることにより、柔らかな光を発光することができるので、展示棚又は展示棚板及び展示した商品に消費者の目を引き付けることができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る発光プレートを備える展示棚の第一実施例の斜視図であり、図２は図１に係る発光プレートを備える展示棚の第一実施例の分解斜視図であり、図３は本考案に係る発光プレートを備える展示棚の第二実施例の正面図であり、図４は本考案に係る２枚の発光プレートを備える展示棚板の斜視図であり、図５は図４に係る発光プレートを備える展示棚板の分解斜視図である。
【０００９】
図１及び図２に示すように、本考案に係る発光プレートを備える展示棚の第一実施例はプラスチックからなる複数枚の透明プレートと、ＥＬプレート（Electro Luminescence, EL）（２０）と、光反射プレート（３０）とを備えており、前記透明プレートは二枚の側プレート（１０）と、一枚の上プレート（１１）と、一枚の下プレート（１２）と、一枚の後プレート（１３）と、一枚の前プレート（符号なし）とを有し、側プレート（１０）に溝（１５）が形成されることにより、これらの透明プレートを組合せて展示棚を構成している。
【００１０】
前記ＥＬプレート（２０）は互いに貼り合わされており、夫々上方と下方へ発光する二枚のＥＬプレート（２０）を有し、該ＥＬプレート（２０）が前記上プレート（１１）に設けられる。
【００１１】
前記光反射プレート（３０）はＥＬプレート（２０）を設けない側部の透明プレートに設置されることにより、光を内側に反射する。
【００１２】
又、本考案に係る展示棚の第一実施例を組合せる場合、先ず各透明プレートを展示棚に組合せた後、ＥＬプレート（２０）を上プレート（１１）に設置することにより、上プレート（１１）が上方と下方へ柔らかな光を発射することができ、又、側方に配置した光反射プレート（３０）によってこの柔らかな光を反射することにより、消費者の目を引き付けることができる。
【００１３】
図３に示すように、本考案に係る展示棚は単層だけではなく、二層又は多層の棚にも適用する。例えば、二層の展示棚における上、中、下プレートにＥＬプレート（２０）が設けられることにより、上記実施例のような効果を更に達成することができる。
【００１４】
又、図１及び図２に示すように、光反射プレート（３０）は側プレート（１０）又は後プレート（１３）のような直立の透明プレートに設置されてもよい。
【００１５】
図４及び図５に示すように、棚板をのせる支持板を備える時において、本考案に係る展示棚板は複数枚の透明プレート（４０）の間にＥＬプレート（２０）が設けられることにより、支持板に載架する展示棚板を製造することができ、展示板棚は上記実施例のような効果を達成することができる。
【産業上の利用可能性】
【００１６】
本考案は上記の構成を有するので、透明プレートからなる展示棚又は棚板にＥＬプレートのような薄肉の発光装置が設けられることにより、柔らかな光を発光することができるので、消費者の目をショーケースや展示した商品に引き付けることができる。
【図面の簡単な説明】
【００１７】
【図１】本考案に係る発光プレートを備える展示棚の第一実施例の斜視図である。
【図２】本考案に係る発光プレートを備える展示棚の第一実施例の分解斜視図である。
【図３】本考案に係る発光プレートを備える展示棚の第二実施例の正面図である。
【図４】本考案に係る発光プレートを備える展示棚板の斜視図である。
【図５】本考案に係る発光プレートを備える展示棚板の分解斜視図である。
【図６】従来の展示棚を示す一部断面図である。
【符号の説明】
【００１８】
１０        側プレート
１１        上プレート
１２        下プレート
１３        後プレート
１５        溝
２０        ＥＬプレート
３０        光反射プレート
４０        透明プレート
６０        展示棚
６１        投射灯
【図１】
0003102767.tif 000003
【図２】
0003102767.tif 000004
【図３】
0003102767.tif 000005
【図４】
0003102767.tif 000006
【図５】
0003102767.tif 000007
【図６】
0003102767.tif 000008